(57)【要約】【課題】家庭の洗面化粧台等にも簡単に後付けで設置施工でき、そこに手乾燥機能を付加することのできる手乾燥装置を提供する。【解決手段】洗面ボウル１２の周辺部の取付基体１８の表面から、先端に噴出口２６を有する噴出管２０を、噴出口２６を洗面ボウル１２に向けて露出状態で延び出させるとともに、噴出管２０に空気供給する空気供給管の一端側を噴出管２０の基端に接続して他端側を乾燥装置本体に接続し、乾燥装置本体から送り出した空気を、空気供給管及び噴出管２０を通じて噴出口２６からジェット噴出するようになす。【選択図】        図１
2006192250.tif 000002
【特許請求の範囲】
【請求項１】
洗面ボウル等の水受凹部の周辺部の取付基体の表面から、先端に風の噴出口を有する噴出管を該噴出口を該水受凹部に向けて露出状態で延び出させるとともに、該噴出管に空気供給する空気供給管の一端側を該噴出管の基端に接続して他端側を乾燥装置本体に接続し、該乾燥装置本体から送り出した空気を該空気供給管及び噴出管を通じて前記噴出口からジェット噴出するようになしたことを特徴とする手乾燥装置。
【発明の詳細な説明】
【技術分野】
【０００１】
この発明は洗面ボウル，キッチンシンク等の水受凹部に向けて噴出口から風をジェット噴出する手乾燥装置に関する。
【背景技術】
【０００２】
従来より、公共トイレの手洗所等において自動手洗乾燥装置、詳しくは石鹸液を自動吐出する石鹸液吐出装置、温水を自動吐水する吐水装置、乾燥用の温風を自動的に噴出する手乾燥装置を一体に備えて成る自動手洗乾燥装置が用いられている。
【０００３】
例えば下記特許文献１，下記特許文献２にこの種の自動手洗乾燥装置が開示されている。
図７はその一例を示している。
同図において２００は自動手洗乾燥装置で、水受凹部としての洗面（手洗）ボウル２０２，その周辺部の基体２０４から立ち上るケーシング２０６及び基体２０４の裏側のボックス部２０８を有している。
【０００４】
基体２０４から立ち上ったケーシング２０６からは石鹸液の吐出口２１０，温水の吐水口２１２，温風の噴出口２１４がそれぞれ突出しており、それぞれに対してケーシング２０６内部に配管された石鹸液供給管２１６，温水供給管２１８，空気供給管２２０が接続されている。
またケーシング２０６には、石鹸液の吐出口２１０，温水の吐水口２１２，温風の噴出口２１４に近接して各対応する人体感知センサ２２２，２２４，２２６が設けられており、それぞれの前に手を差し出すと各人体感知センサ２２２，２２４，２２６がこれを感知して石鹸液の吐出口２１０，温水の吐水口２１２，温風の噴出口２１４から石鹸液，温水，温風をそれぞれ吐出，吐水及び噴出する。
またボックス部２０８の内部には石鹸液吐出装置，温水吐水装置，手乾燥装置の各本体機能部が内蔵されている。
【０００５】
一方、手乾燥装置を単体で構成したものも従来公知である。
下記特許文献３にこの種の手乾燥装置が開示されている。
図８はその具体例を示している。
【０００６】
同図に示す手乾燥装置２２８は壁Ｗ等に取り付けて使用されるものでケーシング２３０を有しており、そのケーシング２３０の下面にスリット状の温風の噴出口２３２が形成され、また内部にファン２３４等を含む本体機能部が内蔵されている。
この手乾燥装置２２８の場合、噴出口２３２の下方に手を差し出すと、人体感知センサ２３６による人体感知に基づいて噴出口２３２から自動的に温風が噴出される。
【０００７】
ところで前者の自動手洗乾燥装置２００は、石鹸液吐出装置，温水吐水装置，手乾燥装置を含む全体が一体のユニットとして構成してあるもので、例えば家庭の洗面化粧台等に手乾燥機能のみを備え付けたいときにこの自動手洗乾燥装置２００を適用するといったことは困難である。
【０００８】
他方後者の手乾燥装置２２８は、それ自体が単体で構成されてはいるものの、本来この手乾燥装置２２８は洗面ボウル等とは離れた壁等に独立して設置されることを予定したもので全体として大型であり、これを洗面化粧台等に備え付けるといったこともまた困難である。
【０００９】
【特許文献１】実用新案登録第２５１９８８４号公報
【特許文献２】特開２００１−２０３３８号公報
【特許文献３】実開平５−９３９７号公報
【発明の開示】
【発明が解決しようとする課題】
【００１０】
本発明は以上のような事情を背景とし、家庭の洗面化粧台等にも簡単に後付けで設置施工でき、そこに手乾燥機能を付加することのできる手乾燥装置を提供することを目的としてなされたものである。
【課題を解決するための手段】
【００１１】
而して請求項１のものは、洗面ボウル等の水受凹部の周辺部の取付基体の表面から、先端に風の噴出口を有する噴出管を該噴出口を該水受凹部に向けて露出状態で延び出させるとともに、該噴出管に空気供給する空気供給管の一端側を該噴出管の基端に接続して他端側を乾燥装置本体に接続し、該乾燥装置本体から送り出した空気を該空気供給管及び噴出管を通じて前記噴出口からジェット噴出するようになしたことを特徴とする。
【発明の作用・効果】
【００１２】
以上のように本発明は、洗面ボウル等の水受凹部の周辺部の取付基体の表面から、先端に風の噴出口を有する噴出管を露出状態で延び出させて噴出口を水受凹部に向け、そして乾燥装置本体から送り出された空気を、空気供給管を通じて噴出管に導いた上、先端の噴出口からジェット噴出するようになしたもので、本発明によれば、水受凹部の周辺部の取付基体に穴を開けてそこに噴出管を取り付け、そして噴出管と乾燥装置本体とを空気供給管を介して接続することで、簡単に手乾燥装置を洗面化粧台等に後付けで設置施工することが可能である。
これにより、家庭の洗面化粧台或いはキッチンの流し台等に、濡れた手等を乾燥するための手乾燥機能を付加することができる。
本発明の手乾燥装置はまた、全体としてこれを小型に構成することができる利点を有する。
【発明を実施するための最良の形態】
【００１３】
次に本発明の実施形態を図面に基づいて詳しく説明する。
図１において、１０は家庭に設置された洗面化粧台で洗面ボウル（水受凹部）１２，その下側のキャビネット１４を有している。
１６は洗面ボウル１２周辺部の取付基体（ここでは洗面ボウル１２と一体の陶器製の鍔部（カウンター部））１８上に起立する形態で設けられた水栓で、この水栓１６に近接して本実施形態の手乾燥装置（エアジェットタオル）１９の噴出管２０が、取付基体１８の表面（上面）から延び出している。
【００１４】
ここで噴出管２０は全体として逆Ｕ字状のグースネック状をなしており、その先端部には扁平形状のヘッド２２が設けられていて、そのヘッド２２の先端のスリット状の風（ここでは温風）の噴出口２６（図２参照）が洗面ボウル１２に向けて下向きとなるように噴出管２０が延び出している。
【００１５】
上記グースネック状をなす噴出管２０は、その基端が図２に示しているように取付基体１８に対し取付穴２８において固定ナット３０により固定されている。そしてその基端に対し空気供給管３２の一端側が接続されている。
【００１６】
空気供給管３２の他端側はヒータ４２を備えた乾燥装置本体３４に接続され、かかる乾燥装置本体３４から送り出された温風（空気）が、この空気供給管３２を通じて噴出管２０に導かれ、更にその先端のヘッド２２から、詳しくはそこに形成されたスリット状の噴出口２６から温風ジェットとして噴出されるようになっている。
【００１７】
乾燥装置本体３４には、内部にブロワ３６及び制御部３８が内蔵されており、ブロワ３６にて送り出された空気がヒータ４２にて加熱された上で、噴出口２６から温風ジェットとして噴出される。
【００１８】
尚、図２において４０は足踏み操作によって温風の噴出と停止とを行うためのフットスイッチで、電気配線４４にて乾燥装置本体３４、詳しくは制御部３８に接続されている。
【００１９】
本実施形態の手乾燥装置１９では、足踏みにてフットスイッチ４０をオン操作すると、乾燥装置本体３４から温風が送り出され、空気供給管３２を通じて噴出管２０内部に流れ込む。そして絞り部として作用するスリット状の噴出口２６から温風ジェットとして勢い良く洗面ボウル１２に向けて下向きに噴出され、手洗い後の濡れた手等を乾燥させる。
【００２０】
本実施形態によれば、洗面ボウル１２の周辺部の取付基体１８に穴を開けてそこに噴出管２０を取り付け、そして噴出管２０と乾燥装置本体３４とを空気供給管３２を介して接続することで、簡単に手乾燥装置１９を洗面化粧台１０に後付けで設置施工することが可能である。そしてこれにより家庭の洗面化粧台１０に濡れた手等を乾燥するための手乾燥機能を付加することができる。
本実施形態の手乾燥装置１９はまた、全体としてこれを小型に構成することができる特長を有する。
【００２１】
図３は他の実施形態を示したもので、ここでは噴出管２０を先端に到るまで断面円形に構成し、そしてその先端のヘッド２２内部に、スリット状の噴出口２６を有する別体の絞り部材２４を装着し、供給されて来た温風を噴出口２６からジェット噴出するようになした例である。
【００２２】
一方図４は噴出管２０を全体として略逆Ｌ字状に構成し、そして使用者から見て左右方向に細長いヘッド２２の先端面から温風ジェットを膜状に（エアカーテン状に）噴出するようになした例である。
尚図５に示しているように噴出管２０の先端部のみを左右方向の幅広形状となし、基端側の立上り部分については、これを先端側の部分よりも細く構成しておいても良い。
【００２３】
本発明の手乾燥装置１９は、他の様々な形態でこれを構成することが可能である。
例えば噴出管２０は、先端の温風の噴出口２６が上下，左右に動くように、また噴出口２６の向きを様々に変更できるように構成しておくことができる。
洗面ボウル１２の形状は千差万別であり、それぞれに応じて噴出口２６の最適な位置や向きは異なったものとなる。
そこで噴出口２６の上下位置や左右位置、更には向きを自在に変更できるようにしておけば、常に最適な位置及び向きで噴出口２６から乾燥用の温風ジェットを洗面ボウル１２に対し下向きに噴出することが可能となる。
またこのようにしておけば、洗面ボウル１２の形状が千差万別に異なる毎に噴出管２０の取付状態を変えなくても良く、施工性を良好なものとすることができる。
【００２４】
本発明ではまた、温風を噴き出す際に噴出管２０の先端部を首振運動させるようになすことができる。
このようにすることで、噴出口２６からの温風が狭い範囲に噴き出されるだけであっても、その首振運動によって広範囲に温風を噴き出すことが可能となり、濡れた手に対し広い範囲に亘り温風を噴出し可能となって、乾燥を効率的に行うことが可能となる。
尚この首振運動はモータ等の駆動手段にて行うこともできるし、或いはまたエアの力で首振運動させるようになすことも可能である。
【００２５】
本発明の手乾燥装置１９は、濡れた手を乾かすための目的だけではなく、濡れた髪を乾かすためのドライヤとして用いることも可能である。
この場合、図６に示しているように髪を乾燥するのに適した形状のヘッド２２と取り替え、またヘッド２２を可撓性のホース４８とともに引出し可能となしておくことが望ましい。
また髪を乾燥する際には温風の勢いが自動的に弱くなるようにしておくことが望ましい。その際、ヘッド２２をホース４８とともに引き出すと自動的に温風の勢いが弱くなるようにしておくのが好適である。
【００２６】
本発明においてはまた、下向きの噴出管２０と上向きの噴出管２０とを設けておいて、それらから択一的に温風を噴き出すようにし、そして下向きの噴出管２０から温風を噴き出して濡れた手等を乾燥し、また上向きの噴出管２０から温風を噴き出すことで濡れた髪等を乾燥するようになすこともできる。
この場合、下向きの噴出管２０から温風を噴き出すときには温風を勢い良くジェット噴射し、また上向きの噴出管２０から温風を噴き出す際には緩やかな勢いで温風を噴き出すようになすことができる。
その切換えは様々な手段にて行うことができる。
例えばフットスイッチ４０のオン操作にて切換えを行うようにしても良いし、或いは手操作でスイッチを操作して切換えをなすようにしても良い。
【００２７】
本発明ではまた、手乾燥装置１９を他の様々な目的で用いることができ、これに応じて先端のヘッド２２を様々に取り替えるようになすことができる。
例えば先端が丸いヘッド２２や扁平なヘッド２２、その他様々な形状のヘッド２２に取り替えて、それらから温風を噴出させるようになすことができる。
また場合によって身体の一部に温風を勢い良くスポット状に当てて、身体のツボをマッサージするといった使い方も可能である。
【００２８】
上記噴出管２０は、その先端の噴出口２６が洗面ボウル１２に向いており、従って水栓１６からの水が噴出管２０内部に入り込んだり、或いは子供等が噴出管２０に水を掛けたりすることによって噴出管２０内部に水が入ってしまう恐れがある。
その場合の対策として、噴出管２０の先端部に水浸入防止機構を設けておくことが望ましい。
その一手段として、例えば送られて来た空気によって弁を開く一方、空気の供給がないときには弁を閉じて水の浸入を防止する逆止弁機構を設けておくことができる。
【００２９】
本発明では、洗面ボウル１２の上方のキャビネット内部に別の噴出管２０を設けておき、上方の噴出管２０から温風を噴き出すようになすこともできる。
この上方の噴出管２０は髪を乾かすときに用いるものとして好適なものである。
但しこの噴出管２０が常時外部に露出していると見栄えが悪くなるので、これをキャビネットの内部に隠蔽状態としておくことが望ましい。
この場合、キャビネットの収納部を開けることによって、更にはまたその下の棚を外すなどして、上方の噴出管２０から温風を噴き出すようになすのが良い。
このとき、収納部を開けると或いは棚を外すと自動的に上方の噴出管２０から温風が噴き出されるようになしておくのが好適である。
【００３０】
本発明ではまた、噴出管２０の先端部、例えば噴出口２６の近くに、香りを載せて温風を噴き出させるための香りのカートリッジを装着しておくことができる。
或いはまたそこに脱臭用のカートリッジを装着しておくこともできる。空気供給路には場合によってカビが発生することもあり、この場合温風を噴き出すとカビ臭い臭いが同時に噴き出されてしまう。
【００３１】
然るに脱臭用のカートリッジを噴出管２０の先端部に設けておくことで、このような不都合を回避することができる。
図２に示しているように、乾燥装置本体３４には吸入空気に対して濾過作用を行うフィルタ５０が備えられている。
このフィルタ５０は容易に交換できるようにその組付構造を様々な組付構造となしておくことができる。
【００３２】
本発明ではまた、例えば噴出管２０の先端部に様々な情報を表示するための表示手段を設けておくことができる。
この表示手段は例えばＬＥＤにて構成することができる。
更にその表示内容としては、複数のＬＥＤを設けておいて時間の経過とともにＬＥＤを１つずつ点滅させ、乾燥に必要な時間を表示したり、現在までの温風の噴出経過時間或いは温風噴出しの残りの時間等をこれにて表示するようになすことができる。
或いはまた表示手段として他の様々なものを用いることができ、またその表示内容も様々なものとすることができる。
【００３３】
上記乾燥装置本体３４にはブロワ（送風機）３６が内蔵されており、これが起振源となって振動や騒音が発生する恐れがある。
そこでその振動が周辺に伝わったり騒音が発生したりするのを防止するために、乾燥装置本体３４の支持構造を防振構造となしておくことができる。
この防振構造の一例として、乾燥装置本体３４を防振ゴムを介して支持するようになすことができる。
或いは乾燥装置本体３４を剛性の陶器その他の部材で支持し、乾燥装置本体３４の振動が床や壁等に伝わらないようにしておくこともできる。
或いはまた、壁等から剛性のステーを延び出させて、そのステーにて乾燥装置本体３４を支持するようになすこともできる。
【００３４】
本発明の噴出管２０は、平面や立面，傾斜面等様々な面に対してこれを取り付けることができる。
また乾燥装置本体３４は、洗面ボウル１２等の下側のキャビネット１４の内部等に設置しておくことができる一方で、これを洗面ボウル１２の上方に設けるといったことも可能である。
この場合乾燥装置本体３４を、洗面ボウル１２の上方の収納ボックス等の内部に隠蔽状態で設けておくこともできるし、或いは壁に直接取付固定しておくこともできる。
またその取付方として、取付基体１８の表側からだけの施工で取り付けるようになすこともできるし、また取付基体１８の裏側から固定ナット３０を締め付けるなどして、裏側からこれを取付基体１８に固定する取付方を用いることもできる。
【００３５】
本発明では、手乾燥装置１９の動作を行わせる操作手段として、上記のようにフットスイッチ４０を好適に用いることができる。
但し図２に示しているように噴出管２０の先端部に人体感知センサ５２を設けておいて、その人体感知センサ５２による人体感知に基づいて、手乾燥装置１９を動作開始させ自動的に噴出口２６から温風を噴出させるようになすこともできる。
或いはまた手操作用のスイッチを設けておいて、そのスイッチを手操作することで、温風噴出しの開始などの動作を行わせるようになすこともできる。
【００３６】
更には水栓１６或いは他の種類，形態の水栓に水流センサを備えておくなどして、その水流センサが水流を検知しているとき、即ち水栓から吐水されているときには、水流センサからの信号を受けて温風噴出しを停止するように、手乾燥装置１９の動作を制御するようになすこともできる。
このようにしておけば、吐水中に温風ジェットが噴き出されてしまって、その温風ジェットにより吐水が跳ね飛ばされてしまうといった不都合を防止することができる。
即ち他の水栓１６等の装置から信号を取り出すようにし、その信号に基づいて手乾燥装置１９の動作を制御するようになすことができる。
また上記したように温風噴出し中は、噴出口２６の先端部を首振運動するように手乾燥装置１９の動作を制御するようになすことができる。
また上記のように下向きの噴出管と上向きの噴出管等を設けておいて、それらからの温風の噴出しの制御を制御部３８によって行うようになすことができる。
【００３７】
本発明において、上記手乾燥装置１９は洗面化粧室の洗面化粧台１０に設置しておくこともできるし、キッチンの流し台に設置しておくこともでき、これらの場合において手乾燥装置１９を、洗面化粧室やキッチンの設備と連動して動作制御するようになすことができる。
例えば洗面化粧室やキッチンが使われていないときには手乾燥装置１９が使用されることはなく、従ってこの場合には手乾燥装置１９の電源を切っておく一方、洗面化粧室やキッチンが使われているとき、例えば洗面化粧室やキッチンの照明その他の設備機器が使われたときには、そこから信号を手乾燥装置１９に取り込んで、その信号に基づいて手乾燥装置１９の電源を入れ、ヒータ４２を動作させて、実際に手乾燥装置１９が使用されたときには、当初から温かい温風が噴き出されるようになしておくことができる。
【００３８】
このようにしておけば、手乾燥装置１９が使用されないときにはその電源を切っておくことによって節電を行うことができ、一方で手乾燥装置１９が使用されるときには当初から温かい空気を噴き出させることが可能となり、更にはまた使用される可能性がないときにはセンサ自身のセンシングを停止して、そのセンシングによる不要な電力消費も防ぐといったことも可能となる。
【００３９】
尚、手乾燥装置１９におけるヒータ４２は、その作動中はサーモスタット等にて常に一定温度に温め保持するようになしておくことができる。
【００４０】
本発明の手乾燥装置１９は、夏の暑いときにはヒータ４２による加熱を行わないで冷たい風を噴出口２６から噴き出すことができ、これを身体に当てることによって局所的な冷房装置として用いることもできるし、また逆に冬の寒いときには温風を身体に当てて暖房装置として用いるようになすこともできる。
この場合、冷風や温風を継続して一定の強さ，風量で噴き出すのではなく、時間とともに強くしたり弱くしたり、また風量を多くしたり少なくしたりして、噴出し空気に揺らぎを持たせることもできる。
このようにして気持ちの良い冷風や温風を感じながら、手乾燥装置１９を使用するといったことも可能である。
【００４１】
本発明ではまた、噴出管２０の先端即ち噴出口２６にタオル等が掛けられるなどして、温風の噴出しに対する抵抗が大きくなったとき、自動的に手乾燥装置１９を作動停止させるようになすことができる。
温風が噴き出されないままヒータ４２が作動していると、ヒータ４２が過熱してしまう恐れがあり、ここにおいて温風の噴出しを自動的に停止するようになすことで安全を確保することができる。
尚噴出口２６からの温風の噴出しに対する抵抗の増大は、例えば噴出管２０内部に設けた圧力センサ等にて検知するようになすことができる。
或いはまた噴出管２０内部に何らかの理由によって水が浸入してしまった場合には、これを適宜の検知手段にて検知し、手乾燥装置１９を作動停止するようになすことができる。
【００４２】
本発明の手乾燥装置１９は、単に濡れた手を乾かすだけでなく、他の様々な用途に使用することが可能である。
例えば上記したように濡れた髪を乾かすためのドライヤとして用いることもできるし、或いは濡れた靴を乾かすためのドライヤとして用いることもできる。
また温風や冷風を部分的に噴き出してスポット暖房やスポット冷房とすることもできるし、また歯ブラシを乾燥させるためのものとして、或いはタオルを温めるためのタオルウオーマーとして、更にはまな板その他のものを乾燥するためのものとして用いるといったことも可能である。
【００４３】
以上本発明の実施形態を詳述したがこれらはあくまで一例示であり、本発明は上例以外の他の様々な形態で構成することが可能である。
【図面の簡単な説明】
【００４４】
【図１】本発明の一実施形態である手乾燥装置を周辺とともに示す図である。
【図２】同手乾燥装置の構成を示す図である。
【図３】本発明の他の実施形態の要部を示す図である。
【図４】本発明の更に他の実施形態の要部を示す図である。
【図５】本発明の更に他の実施形態の要部を示す図である。
【図６】本発明の更に他の実施形態の要部を示す図である。
【図７】従来の自動手洗乾燥装置を示す図である。
【図８】従来の手乾燥装置を示す図である。
【符号の説明】
【００４５】
１２  洗面ボウル（水受凹部）
１８  取付基体
１９  手乾燥装置
２０  噴出管
２６  噴出口
３２  空気供給管
３４  乾燥装置本体
【図１】
2006192250.tif 000003
【図２】
2006192250.tif 000004
【図３】
2006192250.tif 000005
【図４】
2006192250.tif 000006
【図５】
2006192250.tif 000007
【図６】
2006192250.tif 000008
【図７】
2006192250.tif 000009
【図８】
2006192250.tif 000010